(57)【要約】 【課題】  軽量素材とヒンジレスの特性を活かしながら、コンパクトに折畳んで収納することが可能であり、かつ使用者の顔の輪郭にフィットした形状に調整がしやすい眼鏡フレームを提供する。【解決手段】  弾性を備えたワイヤー状の細いテンプルと、逆Ｕ字型の構造で鼻に接する鼻あてを備える眼鏡フレームである。鼻あてはブリッジとの間に隙間を備えた鉤型構造となっており、テンプルに超弾性合金等の弾性素材を用いることによって、テンプルを折畳んだ場合には鼻あての鉤型構造に引っ掛けることによって、コンパクトに収納することが可能になる。鼻あてには一本の甦生を有する金属材料を用いることによって、使用者に合わせてレンズの上下位置、角度、顔との距離を容易に調整することが可能になる。【選択図】        図１
2007041427.tif 000002
【特許請求の範囲】
【請求項１】
超弾性合金を用いたテンプルと、テンプルを折畳むと収納することが可能な鉤型の鼻あてを備えた眼鏡フレームであって、
テンプルは、リムとの接合部から耳掛部に向けて、リムの両端部を結ぶ線と直交する線に対して外側に湾曲した後に内側に湾曲する曲線を形成し、
鼻あては、レンズとの接合する左右両側部分が分離されずに接続された形状に形成され、側面から見てＵ字型となる上向状フックの構造を有すること
を特徴とする眼鏡フレーム。
【請求項２】
テンプルには径０．６〜１．０mmのＮＴ系超弾性合金を用いることを特徴とする請求項１記載の眼鏡フレーム。
【請求項３】
鼻あてのうち鼻に装着する部分には、超弾性を有しない金属製の逆Ｕ字型に形成された一本の線材、又は超弾性を有しない金属製の二本以上の線材を他の材料で接続して逆Ｕ字型の形状に形成した部材が用いられることを特徴とする請求項１又は２記載の眼鏡フレーム。
【発明の詳細な説明】
【技術分野】
【０００１】
本発明は、超弾性合金を用いたテンプルと、テンプルを折畳むと収納することが可能な爪状の鼻あてを備えた眼鏡フレームに関するものである。
【背景技術】
【０００２】
眼鏡のフレームは、レンズを支持するリム、左右のレンズを繋げるブリッジ、レンズと鼻の距離や高さを適切に保つための鼻あてと、レンズの両端から後方に伸びた耳に掛ける部分となるテンプルから構成されている。眼鏡を使用しないときに折畳むことを可能にするために、通常はリムとテンプルの接合部分にはヒンジと呼ばれる開閉用の機構が設けられている。一般的に使用されている眼鏡フレームについては、次のような問題点が指摘されることが多い。
【０００３】
まず、リムとテンプルの開閉を可能にするヒンジであるが、眼鏡の使用を継続するうちに磨耗やゆるみ等の経年劣化が生じ易いという問題がある。眼鏡を装着したままでの運動時や就寝時には、ヒンジ部分が破損しやすいという問題も生じている。このような問題を解消する手段として、リムとテンプルの接合部に弾性金属等を用いた、ヒンジレス眼鏡テンプルに関する発明が開示されている（例えば、特許文献１、特許文献２参照。）。
【０００４】
また、テンプルには通常は金属や樹脂などの素材が用いられるが、これらの素材を用いて耐久性のあるテンプルを形成するとどうしても一定の重量を有することとなってしまうため、眼鏡を長時間装着した際に重さが負担になるという問題が存在している。これらの素材は弾性を備えておらず、顔面や頭部にフィットする構造にはなりにくいため、運動時等に外れやすく破損の原因になりやすいという問題も存在している。このような課題を解決するために、軽量であり、かつ一定の弾性も備えた形状記憶合金やカーボン繊維素材等をテンプルの素材に採用する発明が開示されている（例えば、特許文献３、特許文献４参照。）。
【０００５】
【特許文献１】特開平１０−３９２６１号公報
【特許文献２】特開２００３−２５５２７５号公報
【特許文献３】特開平６−１１８３４８号公報
【特許文献４】特開２００１−３０５４９０号公報
【発明の開示】
【発明が解決しようとする課題】
【０００６】
特許文献１や特許文献２の例に示されるヒンジレス眼鏡テンプルは、経年劣化や破損の原因になりやすいヒンジに関する問題を解消することができるものの、接合部に用いられる弾性金属等の反発力の問題から、コンパクトに折畳みにくく、折畳んだ際にも厚みが生じることが多いため、持ち歩き時などの収納に不便という課題が生じやすい。また、特許文献２のようにテンプルが通常時でも内側に折り込まれる構造となると、装着時に頭部を圧迫しやすいという問題も生じ得る。
【０００７】
一方、形状記憶合金やカーボン繊維素材等をテンプルの素材に採用した特許文献３や特許文献４によれば、眼鏡フレームの軽量化が実現し得るものの、上記と同様の弾性素材の特性から、コンパクトに折畳むことが難しいため、収納に不便という課題が生じやすい。また、軽量素材を用いた場合には装着時の安定性が劣りやすくなるため、装着時に顔面や頭部にフィットさせることが課題となるが、例えば特許文献４ではブリッジやテンプルの支持部材の形状が固定されてしまっているために、使用者の顔の輪郭に合ったレンズやフレームの位置でフィットする状態に調整することが容易でないものと思われる。
【０００８】
本発明は、これらの課題に対応するためになされたものであり、軽量素材とヒンジレスの特性を活かしながら、コンパクトに折畳んで収納することが可能であり、かつ使用者の顔の輪郭にフィットした形状に調整がしやすい眼鏡フレームを提供することを目的とするものである。
【課題を解決するための手段】
【０００９】
このような課題を解決する本発明は、超弾性合金を用いたテンプルと、テンプルを折畳むと収納することが可能な鉤型の鼻あてを備えた眼鏡フレームであって、テンプルは、リムとの接合部から耳掛部に向けて、リムの両端部を結ぶ線と直交する線に対して外側に湾曲した後に内側に湾曲する曲線を形成し、鼻あては、レンズとの接合する左右両側部分が分離されずに接続された形状に形成され、側面から見てＵ字型となる上向状フックの構造を有することを特徴とする眼鏡フレームである。
【００１０】
また、本発明は、テンプルには径０．６〜１．０mmのＮＴ系超弾性合金を用いることを特徴とすることもできる。
【００１１】
さらに、本発明は、鼻あてのうち鼻に装着する部分には、超弾性を有しない金属製の逆Ｕ字型に形成された一本の線材、又は超弾性を有しない金属製の二本以上の線材を他の材料で接続して逆Ｕ字型の形状に形成した部材が用いられることを特徴とすることもできる。
【００１２】
このように、本発明にかかる眼鏡フレームは、鼻あてを上向状フックの構造を有する鉤型に形成することによって、鼻あて部分に弾性を備えたテンプルを収納することができるように構成されている。
【００１３】
テンプルの形状については、リムとの接合部から外側に湾曲することによって、ヒンジレスの構造を実現している。さらに耳側に進んだ部分から内側に湾曲することによって、内側への湾曲により窪んだ部分を鼻あての鉤型構造に引っ掛けることによって、テンプルをコンパクトに折畳んで収納することが可能になる。
【００１４】
鼻あての形状については、上向状フックの構造を有する鉤型に形成してテンプルを引っ掛けて収納するために用いる他に、超弾性を有しない金属製の逆Ｕ字型に形成された一本の線材、又は超弾性を有しない金属製の二本以上の線材を他の材料で接続して逆Ｕ字型の形状に形成した部材を用いて鼻に沿う形状に調整可能なよう構成することによって、使用者の鼻の形状にフィットした形状に調整して固定することが可能になる。
【発明の効果】
【００１５】
本発明によって、軽量素材とヒンジレスの特性を活かしながら、コンパクトに折畳んで収納することが可能であり、かつ使用者の顔の輪郭にフィットした形状に調整がしやすい眼鏡フレームが提供される。この眼鏡フレームは、折畳んで持ち運びに便利な携帯性に優れている他、装着感や安定性の点でも優れているため、運動時や就寝時に装着しても損傷しにくく、違和感も生じにくい。特に、安全性が重視される子供用の眼鏡フレームには好適である。
【発明を実施するための最良の形態】
【００１６】
本発明の実施形態について、図面を用いて以下に説明する。尚、以下に説明する眼鏡フレームの形状は、本発明の実施形態の一例であって、本発明は図面に示される眼鏡フレームの形状に限定されるものではない。
【００１７】
図１は、本発明にかかる眼鏡フレームを用いた眼鏡の斜視図である。図２〜図１１は、本発明にかかる眼鏡フレームを用いた眼鏡の、通常の状態を示す６面図（補足説明用の図を含む）である。図１２、図１３は、本発明にかかる眼鏡フレームを用いた眼鏡の装着時の、それぞれ斜視図と側面図である。図１４は、本発明にかかる眼鏡フレームの鼻あて部分にテンプルを収納する状態を示す図である。図１５〜図２０は、本発明にかかる眼鏡フレームを用いた眼鏡の、テンプル収納時の６面図である。図２１は、本発明にかかる眼鏡フレームを用いた眼鏡のアンダーリムタイプの一例を示すである。図２２〜２４は、本発明にかかる眼鏡フレームの鼻あて部分で、それぞれレンズの上下位置、レンズの角度、レンズと顔面の距離を調整する方法を示す図である。
【００１８】
本発明にかかる眼鏡フレームは、図１の斜視図に示したように、弾性を備えたワイヤー状の細いテンプルと、逆Ｕ字型の構造で鼻に接する鼻あてを備えることを特徴としている。鼻あてはブリッジとの間に隙間を備えた鉤型構造となっており、テンプルに超弾性合金を用いることによって、テンプルを折畳んだ場合には鼻あての鉤型構造に引っ掛けることによって、コンパクトに収納することが可能になる。
【００１９】
図２及び図３は眼鏡フレームの正面図、図４は背面図となっているが、図３に示したように、レンズ５０を支持するリム４０の両端には、ヒンジを設けることなく超弾性合金製のテンプル１０が接合部１１において接合されている。ワイヤー状のテンプル１０は、顔面から側頭部に沿って外側、その後に内側に湾曲した後に、耳掛部１３では下方に伸びており、全体として三次元的に湾曲した形状となっている。鼻あて２０は、左右がレンズ５０に接続された超弾性を有しない金属製の逆Ｕ字型に形成された一本の線材、又は超弾性を有しない金属製の二本以上の線材を芯とし、ビニール等の他の材料で線材を覆うことにより接続して逆Ｕ字型の形状に形成した部材から構成されていて、逆Ｕ字型で鼻に接する形状となっている。
【００２０】
図５〜図７は眼鏡フレームの上面図、図８は底面図となっているが、テンプルの形状について図６、図７を用いて説明する。図６に示したテンプル１０は、接合部１１においてリム４０と接合されているが、リム４０の延長線上から湾曲部１２に向けて外側に湾曲する構造となっているため、接合部１１ではヒンジを設けなくてもリム４０と接合することが可能になっている。そこからさらに、湾曲部１３に向けて内側に湾曲させることによって、テンプル１０は頬骨の上部から側頭部に沿ってフィットした状態で、装着することが可能になる。耳掛部１４は、ワイヤー状のテンプル１０が耳に巻きつくような形状となっており、装着時に適度なフィット感を生じさせるとともに、外れにくい安定性を維持することが可能になっている。
【００２１】
図７は、テンプル１０とリム４０の位置関係を示したものであるが、テンプル１０は接合部１１において、リム４０の両端をつなぐ線に直交する線に対して外側に湾曲する形状となっている。リム４０の側から見ると、テンプル１０はリム４０に対して０〜９０°の入射角で、接合部１１に入射する構造となっている。テンプル１０がこのような構造でリム４０と接合するために、接合部１１においてはヒンジなどの特殊な機構を設けることが不要となっている。
【００２２】
また、外側に湾曲したテンプル１０は、さらに後方においては頬骨の上部から側頭部に沿う部分に向けて、逆に内側に緩やかに湾曲した形状を形成する。この内側への湾曲は、装着時に頬骨の上部から側頭部に沿ってフィットすることで、適度なフィット感と安定性を生じさせるとともに、テンプル１０を折畳んで鉤型構造の鼻あて２０に引っ掛けやすいという利点を生じさせている。
【００２３】
図１２は、眼鏡フレームを装着した状態における斜視図であるが、内側への湾曲部が頬骨の上部から側頭部に沿ってフィットするとともに、耳の後に巻きつくような形状とすることによって、装着時には従来の眼鏡フレームよりも安定性が高まり、運動時等におけるずれや離脱を防止できる構造となっている。
【００２４】
テンプル１０を折畳んで収納するための構造について、図６を用いて説明する。眼鏡フレームの上部においては、鼻あて２０とブリッジ３０の間には隙間が生じている。テンプル１０を折畳むと、図１４の例のように湾曲部１３の窪んだ部分をこの隙間に引っ掛けることによって、テンプル１０をコンパクトに収納することが可能になる。
【００２５】
図１５〜図２０は、テンプル１０を鼻あて２０に収納した状態の一例を示す６面図である。鼻あて２０を上向きの鉤型構造として、テンプル１０にはワイヤー状の超弾性合金を用いることによって、これらの図面のようにテンプル１０をコンパクトに収納することが可能になる。図１７、図１８に示したように、折畳み時には上下から見てほぼフラットな形状となり、一般的な眼鏡フレームの１／２に程度まで厚みを抑えることができる。このようにフラットな状態にテンプル１０を収納できると、持運びに便利であるとともに、テンプル１０やリム４０との接合部の破損なども生じにくくなる。
【００２６】
尚、本発明において使用するワイヤー状のテンプル１０には、軽さ、適切なフィット感、収納構造との関係等を考慮すると、径０．６〜１．０mmのＮＴ系超弾性合金を用いることが好ましい。かかる素材をワイヤー状に加工して、熱加工処理を施すことによって、本発明において必要な形状を安定させることができる。Ｎ：Ｔの比率は、４９：５１程度の合金を用いることが好適である。または、このような超弾性合金と同等の弾性を備えた樹脂製のワイヤーを用いることとしてもよい。
【００２７】
リム４０の素材は特に限定されるものではないが、例えば厚さ０．５〜１．０ｍｍ程度のステンレス又はチタンの板材をレーザーカットして曲げ加工したものを使用することが可能であり、この場合は接合部１１ではテンプル１０をロー付け加工によって接合することができる。
【００２８】
また、リム４０はレンズ５０を固定する機能を備えていれば、その形状についても特に限定されるものではなく、例えば図２１に示したように、レンズ５０を下部から支持するアンダーリムタイプとすることも可能である。
【００２９】
図９及び図１０は眼鏡フレームの左側面図、図１１は右側面図となっている。それぞれの図面に示されているように、テンプル１０は耳の後側に巻きつく形状となっていて、鼻あて２０の高さと位置を調整することによって、適切なフィット感と安定性を生じさせることができる。また、図１０に鼻あて２０として示した鼻に装着する部分は、中央部から上部に向けてレンズ５０側に近付くよう湾曲させることによって、テンプル１０を折畳む際に収納がしやすくなる。
【００３０】
図１０を用いて、鼻あて２０の調整方法について説明する。鼻あて２０に用いられる素材は特に限定されるものではないが、鼻あて２０は眼鏡の購入時に使用者の顔や頭部に合わせて調整を行い、使用状態に合った形状が固定されるものなので、変形が可能で超弾性を有しない金属材料を用いることが好ましい。
【００３１】
鼻あて２０の形状は、背面から見ると図４のように逆Ｕ字型の形状となるが、側面から見た場合には、図１０に示したように上向きに隙間が開いたＵ字型の形状となっている。図１０に示したＵ字型の形状の右側部分は、上下方向に約２ｃｍ程度が鼻にフィットする構造となっている。これに対してＵ字型の形状の左側部分は、それぞれレンズ５０に接合されて、レンズと顔面の間を支持している。図１０の上下調整部２１は、レンズ５０の上下位置の調整のために変形される部分である。角度調整部２２は、レンズ５０の角度の調整のために変形される部分である。また、図６に示した距離調整部２３は、レンズ５０と顔面の距離の調整のために変形される部分である。
【００３２】
図１３は、眼鏡フレームを装着した状態における側面図であるが、このような形で装着した状態において鼻の形状にフィットするように、鼻あて２０を折り曲げる角度を専用工具を用いて変形させて、レンズ５０の上下位置、角度、顔面との距離を調整する。鼻の部分でこれらを調整するとともに、テンプル１０を耳に掛けた場合にテンプル１０が頬骨や側頭部に適度にフィットするように、鼻あての位置や角度を調整する。これらの調整は、通常は眼鏡を購入した際に使用者の顔面の形状に合わせて行って、調整後の鼻あての形状がそのまま固定される。
【００３３】
鼻あて２０について、レンズ５０の上下位置、レンズ５０の角度、レンズ５０と顔面との距離を調整する方法について、図２２〜図２４を用いて説明する。
【００３４】
図２２は、レンズの上下位置を調整するために鼻あて２０を変形する方法を示す図である。鼻あて２０の上下調整部２１について、適度に曲げを行うことによって、レンズ５０が使用者の鼻や目の位置に合った上下位置となるように調整することができる。
【００３５】
図２３は、レンズの角度を調整するために鼻あて２０を変形する方法を示す図である。鼻あて２０の角度調整部２２について、適度に曲げを行うことによって、使用者が装着した場合に見やすい角度となるように、レンズ５０の角度を調整することができる。
【００３６】
図２４は、レンズと顔面の距離を調整するために鼻あて２０を変形する方法を示す図である。鼻あて２０の距離調整部２３について、適度に曲げを行うことによって、レンズ５０と使用者の鼻や目との距離が適当な間隔になるように調整することができる。
【図面の簡単な説明】
【００３７】
【図１】本発明にかかる眼鏡フレームを用いた眼鏡の斜視図である。
【図２】本発明にかかる眼鏡フレームを用いた眼鏡の第１の正面図である。
【図３】本発明にかかる眼鏡フレームを用いた眼鏡の第２の正面図である。
【図４】本発明にかかる眼鏡フレームを用いた眼鏡の背面図である。
【図５】本発明にかかる眼鏡フレームを用いた眼鏡の第１の上面図である。
【図６】本発明にかかる眼鏡フレームを用いた眼鏡の第２の上面図である。
【図７】本発明にかかる眼鏡フレームを用いた眼鏡の第３の上面図である。
【図８】本発明にかかる眼鏡フレームを用いた眼鏡の底面図である。
【図９】本発明にかかる眼鏡フレームを用いた眼鏡の第１の左側面図である。
【図１０】本発明にかかる眼鏡フレームを用いた眼鏡の第２の左側面図である。
【図１１】本発明にかかる眼鏡フレームを用いた眼鏡の右側面図である。
【図１２】本発明にかかる眼鏡フレームを用いた眼鏡の装着時の斜視図である。
【図１３】本発明にかかる眼鏡フレームを用いた眼鏡の装着時の側面図である。
【図１４】本発明にかかる眼鏡フレームの鼻あて部分にテンプルを収納する状態を示す図である。
【図１５】本発明にかかる眼鏡フレームを用いた眼鏡のテンプル収納時の正面図である。
【図１６】本発明にかかる眼鏡フレームを用いた眼鏡のテンプル収納時の背面図である。
【図１７】本発明にかかる眼鏡フレームを用いた眼鏡のテンプル収納時の上面図である。
【図１８】本発明にかかる眼鏡フレームを用いた眼鏡のテンプル収納時の底面図である。
【図１９】本発明にかかる眼鏡フレームを用いた眼鏡のテンプル収納時の左側面図である。
【図２０】本発明にかかる眼鏡フレームを用いた眼鏡のテンプル収納時の右側面図である。
【図２１】本発明にかかる眼鏡フレームを用いた眼鏡のアンダーリムタイプの一例を示すである。
【図２２】本発明にかかる眼鏡フレームの鼻あて部分でレンズの上下位置を調整する方法を示す図である。
【図２３】本発明にかかる眼鏡フレームの鼻あて部分でレンズの角度を調整する方法を示す図である。
【図２４】本発明にかかる眼鏡フレームの鼻あて部分のレンズと顔面の距離を調整する方法を示す図である。
【符号の説明】
【００３８】
１０  テンプル
１１  接合部
１２  湾曲部
１３  湾曲部
１４  耳掛部
２０  鼻あて
２１  上下調整部
２２  角度調整部
２３  距離調整部
３０  ブリッジ
４０  リム
５０  レンズ
【図１】
2007041427.tif 000003
【図２】
2007041427.tif 000004
【図３】
2007041427.tif 000005
【図４】
2007041427.tif 000006
【図５】
2007041427.tif 000007
【図６】
2007041427.tif 000008
【図７】
2007041427.tif 000009
【図８】
2007041427.tif 000010
【図９】
2007041427.tif 000011
【図１０】
2007041427.tif 000012
【図１１】
2007041427.tif 000013
【図１２】
2007041427.tif 000014
【図１３】
2007041427.tif 000015
【図１４】
2007041427.tif 000016
【図１５】
2007041427.tif 000017
【図１６】
2007041427.tif 000018
【図１７】
2007041427.tif 000019
【図１８】
2007041427.tif 000020
【図１９】
2007041427.tif 000021
【図２０】
2007041427.tif 000022
【図２１】
2007041427.tif 000023
【図２２】
2007041427.tif 000024
【図２３】
2007041427.tif 000025
【図２４】
2007041427.tif 000026